(57)【要約】【課題】把持部材の把持面が駆動軸の押し圧時にスクリュエレメントを逃がさないようにしっかりととクランプし、しかも安価に製作可能なスクリュエレメントの抜き装置を提供すること。【解決手段】所定の間隙部を形成する互いに対峙する１対の側板１３、１４と、同側板１３、１４の互に同一位置の切り欠き部に装着したストッパ１６と、複数個のスクリュエレメントを貫装してなる組立式スクリュ１２のスクリュエレメント１２ａ、１２ｂ……を外径部から把持する把持部材の把持面にスクリュエレメント１２ａ、１２ｂ……の一部を設けた押圧保持手段１８との間に入れ、スクリュ駆動軸１５端を押し圧して、スクリュ１２からスクリュ駆動軸１５を抜きだすスクリュエレメントの抜き装置。【選択図】　　　　　図１
2004074410.tif 000002
【特許請求の範囲】
【請求項１】
複数個の切り欠き部を軸方向の同一位置に有し、スクリュ駆動軸に複数個のスクリュエレメントを貫装してなる組立式スクリュを置くための間隙部を形成する互いに対峙する１対の側板と、１対の側板の互に同一位置の切り欠き部に装着され、スクリュの軸方向に対し直角を成すストッパとを有して成る架台と、前記１対の側板の先端部にあり、組立式スクリュのスクリュエレメントを外径部から把持する把持部材を有する押圧保持手段と、前記ストッパと組立式スクリュのスクリュ駆動軸端の間に設けられ、スクリュ駆動軸を軸方向に押出す押圧手段とを有してなることを特徴とするスクリュエレメントの抜き装置。
【請求項２】
前記押圧保持手段の把持部材はその把持面にスクリュエレメントのネジ溝が系合するネジ山形状を有することを特徴とする請求項１記載のスクリュエレメントの抜き装置。
【請求項３】
前記押圧保持手段の把持部材は２個の部材から構成され、少なくとも一側のスクリュ把持面がＶ字平面でスクリュエレメントのネジ溝が系合するネジ山形状を少なくとも２山分有して成ることを特徴とする請求項１記載のスクリュエレメントの抜き装置。
【請求項４】
前記スクリュエメントのネジ溝が系合するネジ山形状が、前記スクリュエレメントのネジ溝のねじれ角と等しいねじれ角を持つ直線状ネジ山であることを特徴とする請求項３記載のスクリュエレメント抜き装置
【請求項５】
前記押圧保持手段の把持部材は鋳鉄製で、その表面は鋳肌のままであることを特徴とする請求項１ないし請求項４の内の１記載のスクリュエレメントの抜き装置。
【発明の詳細な説明】
【０００１】
【発明の属する技術分野】
本発明は押出機に用いるスクリュ駆動軸に複数個のスクリュエレメントを貫装してなる組立式スクリュのスクリュ駆動軸から複数個のスクリュエレメントを抜くためのスクリュエレメントの抜き装置に関する。
【０００２】
【従来の技術】
複数個のスクリュエレメントを貫装してなる組立式スクリュを用いる押出機、特に同方向回転の２軸押出機用のスクリュは溝形状が深溝である上に大きな駆動トルクを必要とするため、スクリュエレメントのスクリュ駆動軸への嵌着は直径が必要駆動トルクの割には小径となり、特殊形状のスプラインを使用する等の厳しい精度と寸法公差が要求される。　従って、メンテナンス等でスクリュエレメントをスクリュ駆動軸から抜く場合、スクリュエレメントとスクリュ駆動軸の間に入込んだ溶融樹脂の影響でスクリュ駆動軸の軸方向に大きな力をかける必要があり、スクリュエレメントを外径部から把持する押圧保持手段の把持部材は良いものがなかった。
【０００３】
従来のこの種把持部材に付いて図４ないし図６により説明すると、押圧保持装置１は例へば図４のような駆動軸３にスクリュエレメント２ａ、２ｂ……を装着して成る組立式スクリュ２よりスクリュエレメント２ａを抜く場合、スクリュ２ａを外径部から把持する押圧保持装置９の把持部材４は空気圧或いは油圧で作動するクランプシリンダ５に取付けられた一側の把持部材４ａと他側の把持部材４ｂから構成され、夫々その把持面は図６のように単なるＶ字面或いはＶ字面にスクリュエレメント２ａのネジ溝に刑号する係合する簡単な突起を設けるものであった。
【０００４】
【発明が解決しょうとする課題】
従ってクランプシリンダ５によりスクリュエレメント２ａをクランプし、図示してない押圧手段により駆動軸３を軸方向（紙面に対し垂直方向）に押し圧した場合、把持部材４ａと他側の把持部材４ｂから構成され、夫々その把持面がＶ字面であるため、スクリュエレメント２はクランプから逃げてしまう又は破損などしやすく、スクリュエレメント２ａは駆動軸３から抜くことが困難であったり、スクリュエレメント２ａがクランプから逃げないように押し圧力を大きくするとスクリュエレメント２ａと駆動軸３の隙間が小さくなり、スクリュエレメント２ａはなおさら抜けにくくなった。
【０００５】
本発明の目的は前述のような欠点を取除き、把持部材の把持面が駆動軸３の押し圧時にスクリュエレメント２ａを逃がさないようにしっかりととクランプし、しかも安価に製作可能なスクリュエレメントの抜き装置を提供することにある。
【０００６】
【課題を解決するための手段】
前述の目的を達成するため本発明は複数個の切り欠き部を軸方向の同一位置に有し、スクリュ駆動軸に複数個のスクリュエレメントを貫装してなる組立式スクリュを置くための間隙部を形成する互いに対峙する１対の側板と、１対の側板の互に同一位置の切り欠き部に装着され、スクリュの軸方向に対し直角を成すストッパとを有して成る架台と、前記１対の側板の先端部にあり、組立式スクリュのスクリュエレメントを外径部から把持する把持部材を有する押圧保持手段と、前記ストッパと組立式スクリュのスクリュ駆動軸端の間に設けられ、スクリュ駆動軸を軸方向に押出す押圧手段とを有してなることを特徴とするスクリュエレメントの抜き装置とした。
【０００７】
押圧保持手段の把持部材はその把持面にスクリュエレメントのネジ溝が系合するネジ山形状を有すればより好適なスクリュエレメントの抜き装置となる。
【０００８】
また押圧保持手段の把持部材は２個の部材から構成され、少なくとも一側のスクリュ把持面がＶ字平面であり、スクリュエレメントのネジ溝が系合するネジ山形状を少なくとも２山分有して成ることを特徴とするスクリュエレメントの抜き装置とした。
【０００９】
その上、スクリュエメントのネジ溝が系合するネジ山形状が、前記スクリュエレメントのネジ溝のねじれ角と等しいねじれ角を持つ直線状ネジ山であることを特徴とし、さらにまた押圧保持手段の把持部材は鋳鉄製で、その表面は鋳肌のままであることを特徴とするスクリュエレメントの抜き装置とした。
【００１０】
これにより把持部材の把持面が駆動軸３の軸方向の押圧時にスクリュエレメント２ａを逃がさないようにしっかりととクランプし、しかも把持面は鋳肌のままであるから安価に製作可能なスクリュエレメントの抜き装置を提供することにある。
【００１１】
【発明の実施の形態】
以下本発明の実施の形態を図１ないし図３により説明する。架台１０は複数個の切り欠き部１１ａ、１１ｂ……を軸方向の同一位置に有し、スクリュ駆動軸１５に複数個のスクリュエレメント１２ａ、１２ｂ……を貫装してなる組立式スクリュ１２を置くための間隙部を形成する互いに対峙する１対の側板１３、１４と、１対の側板１３、１４の互に同一位置の切り欠き部１１ａ、１１ｂ……に装着され、スクリュ１２の軸方向に対し直角を成すストッパ１６とを有して成り、同架台１０上の１対の側板１３、１４の先端部には前記組立式スクリュ１２のスクリュエレメント１２ａ、１２ｂ……を外径部から把持する把持部材１７ａ、１７ｂを有する押圧保持手段１８が取付けてある。
【００１２】
前記押圧保持手段１８の把持部材１７ａ、１７ｂの内の少なくとも１側は図
３のようにその把持面に、例えばスクリュエレメント１２ａのネジ溝が系合するネジ山形状１２ｃを有しており、組立式スクリュ１２からスクリュエレメント１２ａを抜き出す場合、前記ストッパ１６と組立式スクリュ１２のスクリュ駆動軸１５端の間に設けた押圧用シリンダ１９により押圧保持手段１８の把持部材１７ａ、１７ｂにより、スクリュエレメント１２ａを外側面から把持し、ストッパ１６とスクリュ駆動軸１５端の間Ｌで押圧用シリンダ１９が伸びることによりスクリュエレメント１２ａを前記押圧保持手段１８の把持部材１７ａ、１７ｂの位置に残したままスクリュ駆動軸１５を図中右方向に押し出すことができる。
スクリュエレメント１２ａの把持部材１７ａ，１７ｂが、堅固にスクリュエレメント１２ａを把持するには、把持部材１７ａ，１７ｂがスクリュエレメント１２ａの溝形状としっくり係合するものであることが必要である。このため、従来は対象となるスクリュエレメントに係合するねじ形状の突起をもつブロックを、スクリュエレメントと同程度の精度で加工した物を二分割して把持部材として使用していた。
【００１３】
発明者らは、試作テストの結果、把持部材１７ａ，１７ｂはスクリュエレメント１２ａのネジ溝直角断面形状と、ネジのリード角が一致していれば、把持部材のネジ山は直線のラック状であっても良く、その形状が把持部材１７ａ、１７ｂのどちらか一方に配設されていれば充分で、更にその表面が鋳肌のままの鋳鉄で良いと言うことを見出した。
【００１４】
図１および図２に示す実施例は、把持部材１７ｂが、ＶブロックのＶ字平面に、スクリュエレメント１２ａのネジ溝が係合するネジ山を、スクリュエレメント１２ａのネジ溝のねじれ角と等しいねじれ角で直線状に、２本配設したものであり、把持部材１７ａは単なるＶブロックとしたものである。このような組み合わせで、押圧保持手段１８に油圧を作動させて、スクリュエレメント１２ａを堅固に把持させた後、押圧用シリンダ１９に油圧を作動させて、スクリュ駆動軸１５を押圧し、スクリュエレメント１２ａから、駆動軸１５を抜くものである。
【００１５】
同様にしてスクリュエレメント１２ａに続く他のスクリュエレメントも順々にスクリュ駆動軸１５から抜くことが可能である。
スクリュエレメント１２ａに続く他のスクリュエレメントのネジ形状が、スクリュエレメント１２ａと異なっている場合には、把持部材１７ａのＶ字平面に配設するネジ山形形状を、その形状に合わせたものに交換すれば良い。従って組立式スクリュ１２に組み込まれているスクリュエレメントの種類に等しい数の把持部材１７ａを具備したスクリュエレメント圧脱装置を設備すれば、全スクリュエレメントを駆動軸から圧脱する事が可能となる。
【００１６】
【発明の効果】
以上説明したように本発明は当初に掲げたスクリュを把持する把持部材のスクリュ把持面がＶ字面でスクリュをしっかりと把持出来なかったという欠点が取除かれ、少なくとも一側のスクリュ把持面がスクリュエレメントのネジ山形状を少なくとも２山分有しており、スクリュエレメントを外側面からしっかりと把持するためスクリュ駆動軸の押出しにもスクリュエレメントが把持部材から逃げることがない。
【図面の簡単な説明】
【図１】本発明の１実施形態例を示すスクリュエレメント抜き装置の説明図で、その側面図である。
【図２】本発明の１実施形態例を示すスクリュエレメント抜き装置の説明図で、図１のＹ矢視図である。
【図３】本発明の１実施形態例を示すスクリュエレメント抜き装置の説明図で、（イ）は図２の断面Ａ−Ａ図を９０度回転した詳細な拡大図、（ロ）は図（イ）のＸ矢視図である。
【図４】複数個のスクリュエレメントを駆動軸に貫装した組立式スクリュの説明図である。
【図５】従来のスクリュエレメント抜き装置の押圧保持装置の説明図である。
【図６】従来のスクリュエレメント抜き装置の説明図で、（イ）は図５の断面Ｂ−Ｂ図を９０度回転した詳細な拡大図、（ロ）は図（イ）のＺ矢視図である。
【符号の説明】
１０　架台
１１　切欠き部
１２　スクリュ
１３、１４　側板
１５　スクリュ駆動軸
１６　ストッパ
１７　把持部材
１８　押圧保持手段
１９　押圧用シリンダ
【図１】
2004074410.tif 000003
【図２】
2004074410.tif 000004
【図３】
2004074410.tif 000005
【図４】
2004074410.tif 000006
【図５】
2004074410.tif 000007
【図６】
2004074410.tif 000008